(57)【要約】【課題】  容易に分離できない２部品で構成されたロック装置を、ハンドルに貫通孔を設けることなく、このハンドルに装着可能な開閉器の操作ハンドルロック装置を得る。【解決手段】  復帰バネのバネ部を撓ませることで、ロック部材の抜け止め部を挿通させ、かつ、一度挿通させれば、復帰バネは容易に抜けないとともに、復帰バネを挿通させた方向に引っ張ることで、復帰バネを撓ませる状態前の状態に復帰させる。そして、ハンドルの所望の位置で、カバーの突起の溝部と、ハンドルに設けた穴が一致することで、溝部を介して、復帰バネを穴に掛着させるとともに、ロック部材に復帰バネが収納されることで、開閉操作が禁止できるように構成する。【選択図】        図３
2006147174.tif 000002
【特許請求の範囲】
【請求項１】
筐体の開口部から突出した起倒形操作ハンドルにより上記筐体内部の開閉機構部を開閉操作するようになされた開閉器であって、上記操作ハンドルのつまみ部に設けた穴と上記筐体を形成するカバーの突起に設けた溝部を備え、上記操作ハンドルのオンまたはオフの位置で上記穴と上記溝部が一致したときに、上記溝部を介して上記穴に掛着する阻止部材と、この阻止部材の掛着を保持する保持部材とにより構成される開閉器の操作ハンドルロック装置において、
上記阻止部材は弾性部材で形成され、上記保持部材に収納されたときに、弾性力により上記保持部材に係止されることを特徴とする開閉器の操作ハンドルロック装置。
【請求項２】
阻止部材は略Ｃ字形状の終端部と、この終端部の開口端から延設されるバネ部と、このバネ部の端部から略ハ字形状に延設された係合部と、この係合部の両端から延設された略Ｌ字形状のフック部とにより形成され、保持部材は上記阻止部材が挿入される挿入口と、この挿入口より幅が狭く形成された抜け止め部と、この抜け止め部から上記挿入口の反対側に延設され上記阻止部材の係合部が係止される係止部と、上記フック部を収納する収納部とを有し、上記阻止部材は上記挿入口から抜け止め部を介して挿通されたときに上記係合部が上記係止部に係止されることを特徴とする請求項１に記載の開閉器の操作ハンドルロック装置。
【請求項３】
終端部の幅方向寸法は抜け止め部の幅方向寸法より大きいことを特徴とする請求項２に記載の開閉器の操作ハンドルロック装置。
【請求項４】
阻止部材が保持部材の係止部に係止された状態を維持させる第一の施錠手段を装着する施錠孔を上記保持部材に設けたことを特徴とする請求項２または３に記載の開閉器の操作ハンドルロック装置。
【請求項５】
保持部材の収納部は、阻止部材が上記保持部材の係止部に係止されたときに、上記阻止部材のフック部を収納するように形成されたことを特徴とする請求項２または３に記載の開閉器の操作ハンドルロック装置。
【請求項６】
筐体と保持部材に係合し、上記筐体と保持部材を一体的に保持するガイド部材を、上記筐体を形成するカバーの表面に配設したことを特徴とする請求項５に記載の開閉器の操作ハンドルロック装置。
【請求項７】
保持部材は突起を有し、この突起がガイド部材に設けられたスライド部を摺動するように形成されたことを特徴とする請求項６に記載の開閉器の操作ハンドルロック装置。
【請求項８】
ガイド部材は保持部材を介してカバーの表面の反対側位置にストッパー部を有することを特徴とする請求項６または７に記載の開閉器の操作ハンドルロック装置。
【請求項９】
ガイド部材のスライド部は保持部材の摺動を規制する摺動規制部を有していることを特徴とする請求項７に記載の開閉器の操作ハンドルロック装置。
【請求項１０】
保持部材の摺動を阻止する第二の施錠手段を係止させる長孔をガイド部材に配設したことを特徴とする請求項７または９に記載の開閉器の操作ハンドルロック装置。
【発明の詳細な説明】
【技術分野】
【０００１】
この発明は、開閉器の操作ハンドルロック装置、特に回路遮断器や漏電遮断器などの起倒形操作ハンドル（以下、ハンドルと略す）をオンあるいはオフ状態にロックし、開閉操作を禁止するようにした開閉器の操作ハンドルロック装置に関する。
【背景技術】
【０００２】
開閉器のハンドルをむやみに操作させないための開閉器の操作ハンドルロック装置として、開閉操作（オンまたはオフ）毎に該装置を一旦、開閉器から取り外すタイプと、複数の電気管理者が異なる複数の施錠手段、例えば南京錠にて施錠するに適した施錠部材を、該開閉器の筐体に装着させるタイプがある。
【０００３】
前者のタイプとしては、例えば、操作ハンドルが所望の位置（すなわち、オンもしくはオフ）にあれば、この操作ハンドルに設けた貫通孔が、該開閉器の筐体を成すカバー（以下、カバーと略す）の突起に設けた貫通孔と一致することで、これら貫通孔にロック部材を挿通させ、さらに、このロック部材が抜けないように、抜け止め部材を装着する。そして、この抜け止め部材とロック部材とで得られる略ロ字形状部に、例えば南京錠などで施錠することで、該ロック装置の信頼性を高めている（例えば、特許文献１参照）。なお、本明細書においては、説明をわかり易くするため、この前者のタイプを「簡易形」と呼ぶこととする。
【０００４】
一方、後者のタイプとしては、複数の南京錠を通す孔を有した施錠部材を、ネジでカバーに取り付け、さらに、ロック部材を施錠部材に係合させることで、ネジの封印を行うとともに、操作ハンドルの起倒を阻止する。ロック部材には、前述した孔に応じた溝が設けられており、この孔に複数の南京錠にて施錠することで、簡易形に対し、さらに該ロック装置の信頼性を高めている（例えば、特許文献２参照）。
【０００５】
【特許文献１】特開２００２−３５２６８７号公報（第３頁右欄第５行〜第３０行）
【特許文献２】特開平１１−３０６９３０号公報（第４頁左欄第１４行〜第２３行）
【発明の開示】
【発明が解決しようとする課題】
【０００６】
従来の開閉器の操作ハンドルロック装置は以上のように構成されているので、、例えば簡易形では、該ロック装置の装着前状態において、ロック部材と抜け止め部材が容易に分離可能で、これら部材の管理という煩わしさが欠かせなかった。また、操作ハンドルには貫通孔が設けられており、この貫通孔による強度低下を防ぐために、ハンドルの仕様の自由度が制限されるという問題も抱えていた。さらに、タイプを問わず、該ロック装置を装着中に、ハンドルを操作する場合においては、ロック部材を分離（簡易形においては、当然、抜け止め部材も分離）せざるを得ないため、このロック部材の管理も行う必要があった。
【０００７】
また、一般に、その電路が重要になればなるほど、より強固なロック装置、具体的にはより多くの南京錠を使用できるタイプを使用者は求めるわけであるが、その求められるレベルに応じて、ロック装置、特にロック部材を揃えておく必要があり、このことが、このロック部材の仕様・外形などが統一できないという要因になっている。
【０００８】
この発明は、上述のような課題を解決するためになされたもので、第一の目的は、容易に分離できない２部品で構成されたロック装置を、ハンドルに貫通孔を設けることなく、このハンドルに装着可能な開閉器の操作ハンドルロック装置を得ることである。
【０００９】
また、第二の目的は、複数の南京錠で施錠するために、カバーに取り付けたガイド部材に、第一の目的で述べたロック装置が流用できる開閉器の操作ハンドルロック装置を得ることである。
【課題を解決するための手段】
【００１０】
この発明に係る開閉器の操作ハンドルロック装置においては、筐体の開口部から突出した起倒形操作ハンドルにより筐体内部の開閉機構部を開閉操作するようになされた開閉器であって、操作ハンドルのつまみ部に設けた穴と筐体を形成するカバーの突起に設けた溝部を備え、操作ハンドルのオンまたはオフの位置で穴と溝部が一致したときに、溝部を介して穴に掛着する阻止部材と、この阻止部材の掛着を保持する保持部材とにより構成される開閉器の操作ハンドルロック装置において、阻止部材は弾性部材で形成され、保持部材に収納されたときに、弾性力により保持部材に係止されるように構成されたものである。
【発明の効果】
【００１１】
この発明は以上説明したように、装着前状態において構成部品がバラバラにならず、また装着後においては操作ハンドルを確実にロックできる信頼性の高い開閉器の操作ハンドルロック装置を得ることができる。
【発明を実施するための最良の形態】
【００１２】
実施の形態１．
図１は、この発明の実施の形態１における、開閉器の操作ハンドルロック装置（以下、ロック装置と略す）の外観斜視図、図２は図１のロック装置の成立過程を示した組立図であり、（ａ）〜（ｃ）はその組立手順を示す図、図３は、使用者側において図１のロック装置を開閉器に取り付ける際の組込図であり、（ａ）〜（ｃ）はその組込手順を示す。なお、説明をわかり易くするため、図２（ｂ）（ｃ）および図３（ａ）のロック部材は、図１における線Ａ−Ａに沿う断面図で示している。
【００１３】
図１において、ロック装置１０１は、保持部材であるロック部材１と弾性部材である復帰バネ２で構成されており、このうち復帰バネ２の形状については後述する。ロック部材１は、略長方形から紙面上、右側に略Ｕ字形状の逃がしを有した、熱可塑性樹脂材料、例えばＰＢＴ（ポリブチレンテレフタレート）、またはＰＥＴ（ポリエチレンテレフタレート）で成形されており、例えば南京錠である第一の施錠手段を通す施錠孔１ａ、側面から見たとき略三角形状の突起２個からなる台座１ｂ、前述した逃がしとなる凹部１ｃを有している。
【００１４】
続いて、復帰バネ２の装着方法を図２を用いて説明する。この復帰バネ２は、例えば、ばね用ステンレス鋼線で形成され、（ａ）に示す形状、すなわち、終端部２ａ、バネ部２ｂ、係合部２ｃ、およびフック部２ｄより形成される。一方、ロック部材１の内部構造は、（ｂ）に示す如く、挿入口１ｄ、抜け止め部１ｅ、係止部１ｆ、および収納部１ｇによって形成されている。
【００１５】
復帰バネ２は冶具などで、矢印Ｂ方向に荷重を加えることで、フック部２ｄを適切な位置、すなわち、抜け止め部１ｅを挿通できるまでに撓ませた状態で、復帰バネ２を挿入口１ｄより矢印Ｃ方向へ挿入する。その後、抜け止め部１ｅを通過させた後、矢印Ｂ方向の荷重を弱めれば、係合部２ｃが係止部１ｆに納り、フック部２ｄは収納部１ｇによって、依然荷重が加えられたまま、（ｃ）に示す通り、復帰バネ２の装着が完了する。なお、例えば、工場出荷時点では、ロック装置１０１はこの形態となり、復帰バネ２は容易に外れることはないので、使用者側において部品がバラバラにならず、管理のし易い使い勝手の良いロック装置を提供することができる。
【００１６】
次に、使用者側において、ロック装置１０１を開閉器１０２へ組み込む際の手順について図３を用いて説明する。まず、開閉器１０２は、例えば、回路遮断器あるいは漏電遮断器であり、合成樹脂で成形されたカバー２１およびベース２２よりなる筐体１０２ａを有している。この筐体１０２ａの内部には、開閉接点を開閉する開閉機構など（図示せず）が収納されており、カバー２１の開口部２１ａから突出したハンドル２３を、指先で起倒操作することで、開閉が繰り返される。なお、カバー２１には、前述した指先と、筐体１０２ａ内に配設された導電部（図示せず）との絶縁を強化するための、例えばアーチ形の突起２１ｂが、ハンドル２３を挟むように、ハンドル２３の両側（図３（ｂ）紙面上、左右方向）に具備されている。
【００１７】
突起２１ｂには溝部２１ｃが、ハンドル２３の両側に設けられているとともに、このハンドル２３には、開閉器１０２がオフ状態、すなわち、図３（ｂ）に示すようにハンドル２３が位置するときに、溝部２１ｃと相対する穴２３ａが設けられており、この実施の形態１において、開閉器１０２がオフ状態のときに、溝部２１ｃおよび穴２３ａが、図３（ｂ）紙面上、左右方向に、略一直線上に配されることになる。
【００１８】
ロック装置１０１を組み込むにあたり、図３（ａ）の破線で示すように、復帰バネ２をロック部材１より引き出す。なお、このとき、終端部２ａが抜け止め部１ｅに当接することで、復帰バネ２が、紙面上、右方向に抜けてしまうことはない。引き出されたフック部２ｄを溝部２１ｃに嵌合させながら、ロック部材１を、図３（ｂ）紙面上、上方向に押す。すると、収納部１ｇによって係合部２ｃがロック部材１内に収納されることで、フック部２ｄが穴２３ａに掛着されていく。つまり、ロック部材１と復帰バネ２の関係は、装着前状態、すなわち、図２（ｃ）で示した状態に戻る。このことは、図３（ｃ）からもわかるように、ロック装置１０１を組み込んだ状態では、復帰バネ２がロック部材１内に完全被装されるので、穴２３ａへの掛着を故意に解除されるようなことはない。
【００１９】
なお、このとき、ロック部材１を適切な角度で押す必要があるが、これは、台座１ｂをカバー２１の表面に接触させた状態で押せばよい。また、ハンドル２３のつまみ部２３ｂに凹部１ｃが潜り込む形となるので、つまみ部２３ｂがストッパーとなり、ロック部材１の必要以上の回転が阻止できる。さらに、フック部２ｄの移動代は、図３（ａ）で示した寸法Ｄとなるので、このＤに相当する穴をハンドル２３に設ける、つまり穴は貫通させる必要がないので、ハンドル２３の強度が保たれる、換言すれば、ハンドル２３に対する設計の自由度が向上する。こうして装着されたロック装置１０１は、図３（ａ）からも明らかなように、施錠孔１ａと終端部２ａが一致することで、図３（ｃ）に示すように、南京錠３で施錠することができる。
【００２０】
したがって、簡潔な装着方法で、信頼性の高いロック装置が得られるとともに、図３（ｃ）からもわかるように、ハンドル２３の表示部２３ｃに記載された項目（この実施の形態１ではＯＦＦあるいはＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）規格で決められた「Ｏ」が想定される）が容易に視認でき、これら項目内容をロック部材１に、例えば刻印などの細工を施さなくて済む。なお、この実施の形態１では、溝部２１ｃをオフ位置に合わせた、いわゆるオフロック装置として説明したが、溝部２１ｃをオン位置に設け、オンロック装置としても良く、また、オンとオフの両方に溝部２１ｃを設けオンオフ兼用ロック装置としても良いことは言うまでもない。
【００２１】
実施の形態２．
実施の形態１では、いわゆる素早くロック装置を着脱する、という観点から、「簡易形」に位置付けすることができるが、この「簡易」という名が示すように、例えば、ロック装置を外したときの、そのロック装置の管理の繁雑さや、複数の電気管理者によって複数の南京錠で管理したい場合を考えると、必ずしも適切とは言い難い。そこで、こういった要求に応じたタイプを実施の形態２として説明する。
【００２２】
図４は、この発明の実施の形態２における、使用者側におけるロック装置を開閉器に取り付ける際の組込図であり、（ａ）〜（ｄ）はその組込手順を示す。なお、ロック装置自体は実施の形態１で説明した１０１と同様であり、前掲した図１〜図３を参酌する。
【００２３】
ガイド部材であるロックプレート１１は、（ａ）に示すように、スライド部１１ａを有するサイド部１１ｂ、紙面上、奥行側のサイド部１１ｂに設けられ、後述する第二の施錠手段が施錠できる長孔１１ｃ、ロックプレート１１を固定するための取付孔１１ｄ、両サイド部１１ｂ間に架設され、ロック部材１の回動が阻止されるストッパー部１１ｅ、およびロックプレート１１の回転が阻止される回り止め部１１ｆで構成されている。図２（ｃ）で示したロック装置１０１を、スライド部１１ａへ、突起１ｈにより嵌挿させた後、ロック部材１を紙面上、左端の摺動規制部１１ｇまで移動させ、図３（ａ）同様、復帰バネ２をロック部材１より引き出す。この状態で、実施の形態１と同様、フック部２ｄを溝部２１ｃに嵌合させつつ、取付ネジ２４により、取付孔１１ｄを介して開閉器１０２ごと、例えば配電盤などに取り付ける。
【００２４】
そして、ロック装置１０１を機能させたいときには、上述した実施の形態１と同様に、ロック部材１を図４（ｃ）紙面上、上方向に押し上げるが、このとき、スライド部１１ａが突起１ｈのガイドとなっていることもあり、実施の形態１以上にスムーズに装着することができる。こうして装着されたロック装置１０１は、実施の形態１と同様、施錠孔１ａを通して図示しない南京錠で施錠しても良いが、より多くの南京錠に対応するためには、図４（ｄ）に示すように、まず、長孔１１ｃに例えばロックアウトデバイス１２である第二の施錠手段を取り付けた後、複数の電気管理者によって複数の南京錠３（この場合は６個、なお図面上は１個のみ記載）を施錠することもできる。
【００２５】
このように、複数の電気管理者の意思統一のもと、施錠することになるので、特に、重要な電路には好適である。また、解除した場合には、ロック装置１０１が外れることはないので、さらに使い勝手のよいロック装置を提供することができる。なお、ロック装置１０１の装着前、装着後ともに、突起１ｈがスライド部１１ａに位置していることから、ロック部材１が容易に回転しないので、特に、復帰バネ２に対する強度が向上する。
【００２６】
ここで、仮に取付ネジ２４を故意に外したとしても、前述した回転を阻止されたロック部材１とストッパー部１１ｅが当接することで、ロックプレート１１だけが外れるようなことはない。このことは、取付ネジ２４の封印のための形状や、ロックプレート１１の長孔１１ｃを、ロック部材１の施錠孔１ａと一致させるような形状、いわゆる複雑な形状をロックプレート１１に求める必要がない、すなわち、ロックプレート１１は、これまで説明したように、サイド部１１ｂ、長孔１１ｃ、取付孔１１ｄ、ストッパー部１１ｅ、回り止め部１１ｆから成る単純な形状で済むのでコストを低減させることができる。このコスト面での更なる効果は、ロック装置１０１自体を、実施の形態１で述べたものを流用できるという点である。このことは、使用者側においても、ロックプレート１１を準備するだけで、簡易形か、あるいはそうでないかを選択できる、という利点があることは言うまでもない。
【図面の簡単な説明】
【００２７】
【図１】この発明の実施の形態１におけるロック装置の外観斜視図である。
【図２】この発明の実施の形態１におけるロック装置の組立図である。
【図３】この発明の実施の形態１におけるロック装置を開閉器に取り付ける際の組込図である。
【図４】この発明の実施の形態２におけるロック装置を開閉器に取り付ける際の組込図である。
【符号の説明】
【００２８】
１  ロック部材（保持部材）、１ａ  施錠孔、１ｄ  挿入口、１ｅ  抜け止め部、
１ｆ  係止部、１ｇ  収納部、１ｈ  突起、２  復帰バネ（阻止部材）、
２ａ  終端部、２ｂ  バネ部、２ｃ  係合部、２ｄ  フック部、
３  南京錠（第一の施錠手段）、１１  ロックプレート（ガイド部材）、
１１ａ  スライド部、１１ｃ  長孔、１１ｅ  ストッパー部、１１ｇ  摺動規制部、
１２  ロックアウトデバイス（第二の施錠手段）、２１  カバー、２１ａ  開口部、
２１ｂ  突起、２１ｃ  溝部、２３  ハンドル、２３ａ  穴、２３ｂ  つまみ部、
１０１  ロック装置、１０２  開閉器、１０２ａ  筐体。
【図１】
2006147174.tif 000003
【図２】
2006147174.tif 000004
【図３】
2006147174.tif 000005
【図４】
2006147174.tif 000006